(57)【要約】【課題】壁に設けられた既存の孔に、換気装置の給排気口を容易に接続可能な給排気用アタッチメントを備える換気装置の給排気構造及びその施工方法を提供すること。【解決手段】屋内側の壁面Ｗａと換気装置１との間に配置される給排気用アタッチメント７を備える換気装置１の給排気構造６であって、給排気用アタッチメント７は、二層に仕切られた給排気二層開口１０１が設けられた換気装置１の背面に接続されており、換気装置１に供給される外気ＯＡ及び排気ＥＡの流通方向を変換するように、給排気二層開口１０１を、内管４３１，８３１及び外管４３２，８３２を有する内外二重管４３，８３に変換する方向変換機構４０，８０を備える。【選択図】図１
2018059637.tif 000002
【特許請求の範囲】
【請求項１】
屋内側の壁面と換気装置との間に配置される給排気用アタッチメントを備える換気装置の給排気構造であって、
前記給排気用アタッチメントは、二層に仕切られた給排気二層開口が設けられた前記換気装置の背面に接続されており、前記換気装置に供給される外気及び排気の流通方向を変換するように、前記給排気二層開口を、内管及び外管を有する内外二重管に変換する方向変換機構を備える換気装置の給排気構造。
【請求項２】
前記換気装置の背面には、前記換気装置の内部と外部とを貫通する前記給排気二層開口と、前記給排気二層開口を給気通過部分と排気通過部分とに仕切る装置側仕切部材と、が設けられており、
前記給排気用アタッチメントは、前記換気装置の背面に取り付けられるアタッチメント側接続部と、前記アタッチメント側接続部に取り付けられる前記方向変換機構と、を備え、
前記アタッチメント側接続部は、アタッチメント側開口が形成された環状部材と、前記アタッチメント側開口を給気通過部分と排気通過部分とに仕切るアタッチメント側仕切部材と、を有し、
前記方向変換機構は、前記給排気二層開口が貫通する貫通方向に交差する方向に延びる内管及び外管を有する前記内外二重管を備える請求項１に記載の換気装置の給排気構造。
【請求項３】
前記方向変換機構は、前記給排気二層開口に対して前記内外二重管を回転させる回転機構を備える請求項１又は２に記載の換気装置の給排気構造。
【請求項４】
前記内管は、外気を前記換気装置に供給する外気用の配管であり、
前記外管は、排気用の配管である請求項２又は３に記載の換気装置の給排気構造。
【請求項５】
前記内外二重管に接続され延在内管及び延在外管を有する延在二重管を更に備え、
前記延在二重管における前記内外二重管と反対側の端部において、前記延在内管の端部は、前記延在外管の端部よりも突出して配置される請求項１から４のいずれかに記載の換気装置の給排気構造。
【請求項６】
前記方向変換機構は、方向変換管を備え、
前記方向変換管の内面及び／又は外面の一部又は全部には、断熱材が設けられる請求項１から５のいずれかに記載の換気装置の給排気構造。
【請求項７】
前記内外二重管に接続され延在内管及び延在外管を有する延在二重管を更に備え、
前記延在外管は、断熱材で構成される請求項１から６のいずれかに記載の換気装置の給排気構造。
【請求項８】
請求項１に記載の給排気用アタッチメントを備える換気装置の給排気構造を用いて、屋内側の壁面と換気装置との間に配置される前記給排気用アタッチメントを施工する給排気構造の施工方法であって、
前記壁面には、前記給排気二層開口とは異なる径の孔部が設けられており、
前記給排気二層開口と前記壁面の前記孔部との間に前記給排気用アタッチメントを設置する工程を備える給排気構造の施工方法。
【発明の詳細な説明】
【技術分野】
【０００１】
本発明は、給排気用アタッチメントを備える換気装置の給排気構造及びその施工方法に関する。
【背景技術】
【０００２】
従来、屋内側の壁面に取り付けられる換気装置であって、建物の屋外と屋内との間で空気を給排気して換気を行う換気装置が知られている（例えば、特許文献１参照）。特許文献１に記載の換気装置の背面には、給気口及び排気口が仕切られた給排気口が設けられている。給排気口は、給排気用の接続管を用いて、壁に設けられた壁孔に接続されている。
【先行技術文献】
【特許文献】
【０００３】
【特許文献１】特開２０１６−４０５０１号公報
【発明の概要】
【発明が解決しようとする課題】
【０００４】
特許文献１に記載の換気装置を屋内側の壁面に取り付ける際に、壁に設けられている既存の壁孔、例えばエアコン用の孔などに、換気装置の給排気口を接続したい場合がある。しかし、換気装置の背面において給排気口の位置は決まっているため、換気装置の壁への取り付け位置を調整しても、給排気口を既存の孔に接続することが難しい場合があった。
【０００５】
本発明は、壁に設けられた既存の孔に、換気装置の給排気口を容易に接続可能な給排気用アタッチメントを備える換気装置の給排気構造及びその施工方法を提供することを目的とする。
【課題を解決するための手段】
【０００６】
本発明は、屋内側の壁面（例えば、後述の壁面Ｗａ）と換気装置（例えば、後述の換気装置１）との間に配置される給排気用アタッチメント（例えば、後述の給排気用アタッチメント７、７Ａ）を備える換気装置の給排気構造（例えば、後述の換気装置の給排気構造６、６Ａ）であって、前記給排気用アタッチメントは、二層に仕切られた給排気二層開口（例えば、後述の装置側給排気開口１０１）が設けられた前記換気装置の背面に接続されており、前記換気装置に供給される外気及び排気の流通方向を変換するように、前記給排気二層開口を、内管（例えば、後述の第２内管４３１、８３１）及び外管（例えば、後述の第２外管４３２、８３２）を有する内外二重管（例えば、後述の第２内外二重管４３、８３）に変換する方向変換機構（例えば、後述の方向変換管４０、８０）を備える換気装置の給排気構造に関する。
【０００７】
また、前記換気装置の背面には、前記換気装置の内部と外部とを貫通する前記給排気二層開口と、前記給排気二層開口を給気通過部分（例えば、後述の上側給気口１０１ｂ）と排気通過部分（例えば、後述の下側排気口１０１ａ）とに仕切る装置側仕切部材（例えば、後述の装置側仕切部材１０２）と、が設けられており、前記給排気用アタッチメントは、前記換気装置の背面に取り付けられるアタッチメント側接続部（例えば、後述のアタッチメント側給排気接続部３０、７０）と、前記アタッチメント側接続部に取り付けられる前記方向変換機構と、を備え、前記アタッチメント側接続部は、アタッチメント側開口（例えば、後述のアタッチメント側給排気開口３１０、７１０）が形成された環状部材（例えば、後述の円環板部材３１、７１）と、前記アタッチメント側開口を給気通過部分（例えば、後述の給気仕切開口３１１、７１１）と排気通過部分（例えば、後述の排気仕切開口３１２、７１２）とに仕切るアタッチメント側仕切部材（例えば、後述の仕切壁３４、仕切二重壁７５）と、を有し、前記方向変換機構は、前記給排気二層開口が貫通する貫通方向（例えば、後述の貫通方向Ｋ）に交差する方向（例えば、後述の左右方向Ｘ）に延びる内管及び外管を有する前記内外二重管を備えることが好ましい。
【０００８】
また、前記方向変換機構は、前記給排気二層開口に対して前記内外二重管を回転させる回転機構（例えば、後述のアタッチメント側給排気接続部３０，７０及び方向変換管４０，８０）を備えることが好ましい。
【０００９】
また、前記内管は、外気を前記換気装置に供給する外気用の配管であり、前記外管は、排気用の配管であることが好ましい。
【００１０】
また、前記内外二重管に接続され延在内管及び延在外管を有する延在二重管を更に備え、前記延在二重管における前記内外二重管と反対側の端部において、前記延在内管の端部は、前記延在外管の端部よりも突出して配置されることが好ましい。
【００１１】
また、前記方向変換機構は、方向変換管を備え、前記方向変換管の内面及び／又は外面の一部又は全部には、断熱材が設けられることが好ましい。
【００１２】
また、前記内外二重管に接続され延在内管（例えば、後述の屋外側延在内管６５１、延在内管９１）及び延在外管（例えば、後述の屋外側延在外管６５２、延在外管９２）を有する延在二重管（例えば、後述の延在二重管６０、９０）を更に備え、前記延在外管は、断熱材で構成されることが好ましい。
【００１３】
また、本発明は、前記の給排気用アタッチメントを備える換気装置の給排気構造を用いて、屋内側の壁面と換気装置との間に配置される前記給排気用アタッチメントを施工する給排気構造の施工方法であって、前記壁面には、前記給排気二層開口とは異なる径の孔部（例えば、後述の壁孔Ｗｂ）が設けられており、前記給排気二層開口と前記壁面の前記孔部との間に前記給排気用アタッチメントを設置する工程を備える給排気構造の施工方法に関する。
【発明の効果】
【００１４】
本発明によれば、壁に設けられた既存の孔に、換気装置の給排気口を容易に接続可能な給排気用アタッチメントを備える換気装置の給排気構造及び給排気構造の施工方法を提供することができる。
【図面の簡単な説明】
【００１５】
【図１】第１実施形態の換気装置の給排気構造の使用状態を示す図である。
【図２】第１実施形態の換気装置の構成を示す斜視図である。
【図３】第１実施形態の換気装置と給排気構造との位置関係を示す斜視図である。
【図４】換気装置の背面の構成を示す斜視図である。
【図５】第１実施形態の給排気用アタッチメントを示す斜視図である。
【図６】第１実施形態の給排気用アタッチメントを分解して示した分解斜視図である。
【図７】第１実施形態の給排気用アタッチメントを、アタッチメント側給排気接続部と方向変換管とに分解して示した分解斜視図である。
【図８】第１実施形態の給排気用アタッチメントのアタッチメント側給排気接続部を示す斜視図であって、（ａ）は斜視図であり、（ｂ）は（ａ）のＢ−Ｂ線断面図であり、（ｃ）は（ａ）のＣ−Ｃ線断面図である。
【図９】第１実施形態の給排気構造を分解した状態を示す分解斜視図である。
【図１０】図５に示す給排気用アタッチメントのＡ−Ａ線断面図である。
【図１１】第２実施形態の換気装置の給排気構造の使用状態を示す図である。
【図１２】第２実施形態の換気装置と給排気構造との位置関係を示す斜視図である。
【図１３】第２実施形態の給排気用アタッチメントを示す斜視図である。
【図１４】第２実施形態の給排気用アタッチメントを、アタッチメント側給排気接続部と方向変換管とに分解して示した分解斜視図である。
【図１５】第２実施形態の給排気用アタッチメントのアタッチメント側給排気接続部を示す斜視図である。
【図１６】図１３に示す給排気用アタッチメントのＤ−Ｄ線断面図である。
【発明を実施するための形態】
【００１６】
以下、本発明の各実施形態について、図面を参照しながら詳しく説明する。
なお、以下の説明においては、換気装置１の背面に設けられる装置側給排気開口１０１（図４参照）が貫通する方向を貫通方向Ｋとする。本実施形態においては、貫通方向Ｋは、換気装置１と壁面Ｗａとが並ぶ方向と一致する。また、貫通方向Ｋに交差する方向であって屋内側の壁面Ｗａに沿った水平方向を左右方向Ｘとする。左右方向Ｘは、換気装置１を正面から視た場合の換気装置１の左右方向でもある。また、図１及び図１１に示す左右方向Ｘにおいて、換気装置１に対して一方側を第１側Ｘ１（図１及び図１１における紙面の右手前側）とし、換気装置１に対して他方側を第２側Ｘ２（図１及び図１１における紙面の左奥側）とする。また、鉛直方向に沿った上下の向きを上下方向とする。
【００１７】
（第１実施形態）
図１は、第１実施形態の換気装置１の給排気構造６の使用状態を示す図である。
図１に示すように、第１実施形態に係る換気装置１は、屋内側の壁Ｗの壁面Ｗａの上部等に取り付けられ、本発明に係る給排気構造６を介して、建物の屋外と屋内の間で空気を給排気して換気を行う換気装置である。
給排気構造６の詳細については後述する。
【００１８】
図２は、本実施形態の換気装置１の構成を示す斜視図である。図２に示すように、換気装置１は、ハウジング１０と、給気経路２０と、給気送風機２と、排気経路２５と、排気送風機３と、熱交換器５と、バイパス経路９と、を備える。
また、換気装置１は、給気フィルタ１４１と、排気フィルタ１４２と、ダンパ１４３と、制御装置（図示せず）と、を備える。
【００１９】
図３は、第１実施形態の換気装置１と給排気構造６との位置関係を示す斜視図である。図４は、換気装置の背面の構成を示す斜視図である。
ハウジング１０は、図３に示すように、略直方体状に形成されている。ハウジング１０は、後述する各経路及び部材をその内部に収容する。図４に示すように、換気装置１は、ハウジング１０の背面に設けられた装置側給排気開口１０１（給排気二層開口）において開口しており、ハウジング１０の背面には、図３に示すように、背面板１１が取り付けられている。装置側給排気開口１０１は、図４に示すように、装置側仕切部材１０２により二層に仕切られている。装置側仕切部材１０２は、装置側給排気開口１０１を、下側排気口１０１ａ（排気通過部分）と上側給気口１０１ｂ（給気通過部分）とに仕切る。背面板１１は、図３に示すように、屋内側の壁面Ｗａに対向して配置される。背面板１１の左右方向Ｘの第１側Ｘ１の上端側には、背面板開口１１ａが設けられている。背面板開口１１ａは、換気装置１の背面に背面板１１が取り付けられた状態において、装置側給排気開口１０１に連通する。背面板１１における背面板開口１１ａの周縁には、後述する給排気構造６の給排気用アタッチメント７が接続される。
【００２０】
給気経路２０は、図２に示すように、換気装置１の背面側に配置される背面側給気口２１と、換気装置１の正面側に配置される正面側給気口２２と、を結ぶ。正面側給気口２２は、ハウジング１０の正面側の上端部に位置し、背面側給気口２１は、装置側給排気開口１０１の上側給気口１０１ｂ（図４参照）に連通する。
【００２１】
排気経路２５は、正面側に配置される正面側排気口２６と、背面側に配置される背面側排気口２７と、を結ぶ。正面側排気口２６は、ハウジング１０の正面側の下端部に位置し、背面側排気口２７は、装置側給排気開口１０１の下側排気口１０１ａ（図４参照）に連通する。
【００２２】
給気送風機２は、給気経路２０の終端側に配置されて、外気を屋内側に送る。給気送風機２は、給気経路２０の熱交換器５よりも下流側に配置される。
【００２３】
排気送風機３は、排気経路２５の終端側に配置されて、屋内側の空気を屋外側に送る。排気送風機３は、排気経路２５の熱交換器５よりも下流側に配置される。
【００２４】
熱交換器５は、給気経路２０及び排気経路２５に配置される。熱交換器５は、給気経路２０を流通する給気ＳＡと排気経路２５を流通する排気ＥＡとの間で熱交換を行う。
【００２５】
熱交換器５は、長手方向の一端側の上部に形成される給気流入口１５１と、他端側の側面に形成される給気流出口１５２と、他端側の下部に形成される排気流入口１５３と、一端側の側面に形成される排気流出口１５４と、を有する。熱交換器５内における給気流入口１５１と給気流出口１５２とを結ぶ流路は、給気経路２０の一部を構成する。同様に、熱交換器５内における排気流入口１５３と排気流出口１５４とを結ぶ流路は、排気経路２５の一部を構成する。これにより、給気経路２０における給気の流れと排気経路２５における排気の流れとは、対向流となる。
【００２６】
バイパス経路９は、排気経路２５の排気フィルタ１４２よりも上流側に位置するバイパス入口９ａと、排気経路２５の熱交換器５よりも下流側に位置するバイパス出口９ｂと、を結ぶ。バイパス経路９は、排気フィルタ１４２の捕集された塵埃を除去する際に、排気ＥＡを熱交換器５に流通させることなくバイパスする。
【００２７】
給気フィルタ１４１は、給気経路２０の熱交換器５よりも上流側の背面側給気口２１近傍に配置される。給気フィルタ１４１は、給気ＳＡに含まれる塵埃を捕集する。
排気フィルタ１４２は、排気経路２５の熱交換器５よりも上流側の正面側排気口２６近傍に配置される。排気フィルタ１４２は、排気ＥＡに含まれる塵埃を捕集する。
ダンパ１４３は、熱交換器５を介した排気と、バイパス経路９を介した排気と、を切り替える。
【００２８】
次に、換気装置１の給排気構造６について説明する。図５は、第１実施形態の給排気用アタッチメント７を示す斜視図である。図６は、第１実施形態の給排気用アタッチメント７を分解して示した分解斜視図である。図７は、第１実施形態の給排気用アタッチメント７を、アタッチメント側給排気接続部３０と方向変換管４０とに分解して示した分解斜視図である。図８は、第１実施形態の給排気用アタッチメント７のアタッチメント側給排気接続部３０を示す斜視図であって、（ａ）は斜視図であり、（ｂ）は（ａ）のＢ−Ｂ線断面図であり、（ｃ）は（ａ）のＣ−Ｃ線断面図である。図９は、第１実施形態の給排気構造６を分解した状態を示す分解斜視図である。図１０は、図５に示す給排気用アタッチメント７のＡ−Ａ線断面図である。
【００２９】
図３及び図４に示すように、換気装置１の給排気構造６は、換気装置１の背面板１１における背面板開口１１ａの周縁に接続されると共に背面板１１が換気装置１の背面に取り付けられることで、換気装置１の背面に取り付けられる。換気装置１の給排気構造６は、図１、図５及び図６に示すように、給排気用アタッチメント７と、延在二重管６０（図１参照）と、を有する。
【００３０】
給排気用アタッチメント７は、図１に示すように、屋内側の壁面Ｗａと換気装置１との間に配置される。
給排気用アタッチメント７は、図５〜図８に示すように、アタッチメント側給排気接続部３０（アタッチメント側接続部）と、方向変換管４０（方向変換機構）と、気密部材５１と、接続部内面側断熱材５２と、側面板内面側円形断熱材５３と、側面板内面側環状断熱材５４と、３つの内周面円弧状断熱材５５と、を備える。アタッチメント側給排気接続部３０には、アタッチメント側給排気接続部３０及び方向変換管４０が互いの接続状態において相互に回転可能な状態で、方向変換管４０が取り付けられている。
【００３１】
アタッチメント側給排気接続部３０は、図３に示すように、換気装置１の背面の背面板１１に設けられる背面板開口１１ａの周縁に取り付けられている。アタッチメント側給排気接続部３０は、図７及び図８に示すように、円環板部材３１（環状部材）と、外周二重壁３２と、内周延出壁３３と、仕切壁３４（アタッチメント側仕切部材）と、内縁半円弧壁部３５と、半円板部３６と、延在内周壁部３７と、を備える。
【００３２】
円環板部材３１は、図７及び図８に示すように、中央にアタッチメント側給排気開口３１０（アタッチメント側開口）が形成された円環状の板状に形成される。円環板部材３１は、径方向に所定長さの幅を有して形成され、壁面Ｗａに平行に配置される。
【００３３】
外周二重壁３２は、円環板部材３１における壁面Ｗａ側の面の外周縁から、壁面Ｗａ側に延びる。外周二重壁３２は、円環板部材３１の全周に亘って形成される。外周二重壁３２は、図８に示すように、第１外周壁部３２１と、第２外周壁部３２２と、を有する。第１外周壁部３２１及び第２外周壁部３２２は、それぞれ、円筒状に形成される。第１外周壁部３２１及び第２外周壁部３２２は、第１外周壁部３２１が外側に配置された状態で、二重に配置され、二重の外周壁を構成する。第２外周壁部３２２の円環板部材３１からの高さは、第１外周壁部３２１の円環板部材３１からの高さよりも高く形成される。
外周二重壁３２は、方向変換管４０をアタッチメント側給排気接続部３０に取り付けた状態において、後述する方向変換管４０の第１内外二重管４２の端部４２２ｂに回転可能に係止される。
【００３４】
内周延出壁３３は、円環板部材３１の内周縁から、壁面Ｗａに平行に、円環板部材３１の径方向の内側に所定幅で延出する。内周延出壁３３の表面は、円環板部材３１の表面から内部側に窪んで形成される。内周延出壁３３は、円環板部材３１の全周に亘って形成される。
【００３５】
仕切壁３４は、円環板部材３１のアタッチメント側給排気開口３１０を略中央で仕切る。仕切壁３４は、アタッチメント側給排気開口３１０の中心を通り、径方向に延びる。仕切壁３４の表面は、円環板部材３１の表面から内部側に窪んで形成され、内周延出壁３３の表面と同一平面上に位置する。
【００３６】
仕切壁３４は、アタッチメント側給排気開口３１０を、給気ＳＡが通過する給気仕切開口３１１（給気通過部分）と、排気ＥＡが通過する排気仕切開口３１２（排気通過部分）とに仕切る。これにより、アタッチメント側給排気開口３１０の一方側の半円部分により給気ＳＡが通過する給気仕切開口３１１が構成され、アタッチメント側給排気開口３１０の他方側の半円部分により排気ＥＡが通過する排気仕切開口３１２が構成される。
【００３７】
仕切壁３４は、図７に示すように、給排気用アタッチメント７を換気装置１の背面の背面板１１に取り付けた状態において、後述する気密部材５１を挟んで、換気装置１の背面に設けられた装置側仕切部材１０２（図４参照）に対向して配置される。
【００３８】
内縁半円弧壁部３５は、半円筒状の壁状に形成され、貫通方向Ｋに延びる。
内縁半円弧壁部３５の周方向の両端部は、それぞれ、仕切壁３４の径方向の両端部に接続される。内縁半円弧壁部３５と仕切壁３４とで囲まれる部分は、貫通方向Ｋに延びる半円形状に形成され、前述の給気仕切開口３１１を構成する。給気仕切開口３１１は、後述する方向変換管４０の第１内外二重管４２の第１内管４２１に連通する。
【００３９】
半円板部３６は、半円板形状に形成され、円環板部材３１の排気仕切開口３１２において、貫通方向Ｋの壁Ｗ側に配置される。半円板部３６は、仕切壁３４における貫通方向Ｋの壁面Ｗａ側の端部から、壁面Ｗａに沿って壁面Ｗａに平行に延びる。半円板部７７は、貫通方向Ｋに視た場合に、排気仕切開口３１２と略同じ大きさに形成される。半円板部３６の外周縁は、アタッチメント側給排気開口３１０を形成する円環板部材３１の内周縁と略同じ半円弧形状に形成される。
【００４０】
半円板部３６の表面は、図８（ａ）〜（ｃ）に示すように、傾斜して形成される。半円板部３６の表面は、仕切壁３４が延びる方向において、図８（ｂ）に示すように、仕切壁３４の径方向の中央から縁部側に向かうにしたがって、円環板部材３１から離れるように傾斜している。また、半円板部３６の表面は、仕切壁３４が延びる方向に直交する方向において、図８（ｃ）に示すように、仕切壁３４から緩やかな曲面で接続されており、仕切壁３４から離れるにしたがって、円環板部材３１から離れるように傾斜している。
【００４１】
円環板部材３１の内周縁と半円板部３６の外周縁との間には、貫通方向Ｋに幅を有すると共に径方向に開口する外管連通部３１３が形成される。外管連通部３１３は、半円板部３６の換気装置１側の空間から径方向の外側に連通する。
方向変換管４０をアタッチメント側給排気接続部３０に取り付けた状態において、円環板部材３１の排気仕切開口３１２を流通された排気ＥＡは、外管連通部３１３を介して、又は、半円板部３６に到達した後に外管連通部３１３を介して、後述する方向変換管４０の第１内外二重管４２の第１外管４２２に流通される。
【００４２】
延在内周壁部３７は、図８（ａ）に示すように、円筒状に形成され、内縁半円弧壁部３５の壁Ｗ側の端部及び半円板部３６の円弧部分の外周縁から壁面Ｗａ側に延びる。方向変換管４０をアタッチメント側給排気接続部３０に取り付けた状態において、図１０に示すように、延在内周壁部３７は、後述する方向変換管４０の第１内外二重管４２の第１内管４２１の換気装置１側の端部４２１ｂの内周面に沿って配置される。延在内周壁部３７は、方向変換管４０をアタッチメント側給排気接続部３０に取り付けた状態において、後述する方向変換管４０の第１内外二重管４２の端部４２１ｂに回転可能に係止される。
【００４３】
また、アタッチメント側給排気接続部３０には、図６に示すように、気密部材５１と、接続部内面側断熱材５２と、が取り付けられている。接続部内面側断熱材５２は、例えば、発泡スチロール等の断熱材で構成される。
【００４４】
気密部材５１は、アタッチメント側給排気接続部３０の外部側において、アタッチメント側給排気接続部３０の内周延出壁３３及び仕切壁３４の表面に配置される。気密部材５１は、環状に形成される環状気密部分５１ｂと、環状気密部分５１ｂを略半分に仕切る気密仕切部分５１ａと、を有する。気密部材５１は、アタッチメント側給排気接続部３０が換気装置１の背面に設けられる背面板１１の背面板開口１１ａの周縁に取り付けられた場合に、アタッチメント側給排気接続部３０と換気装置１における装置側給排気開口１０１の周縁との間に挟まれて配置され、アタッチメント側給排気接続部３０と換気装置１における装置側給排気開口１０１の周縁との間の気密性を確保する。
【００４５】
接続部内面側断熱材５２は、アタッチメント側給排気開口３１０を避けるような開口を有した略円環状に形成され、円環板部材３１の内面に取り付けられる。接続部内面側断熱材５２は、円環板部材３１の内面において断熱性を確保する。これにより、円環板部材３１の外面に結露水が付着することを低減できる。
【００４６】
以上のように構成されるアタッチメント側給排気接続部３０は、図９に示すように、円環板部材３１が換気装置１の背面板１１にビス５０１により接続され、円環板部材３１が接続された背面板１１が換気装置１の背面に取り付けられることで、気密部材５１を押圧した状態で、換気装置１の背面に設けられる背面板１１の背面板開口１１ａの周縁に接続される。
【００４７】
方向変換管４０は、図５及び図６に示すように、３つの略Ｕ字形状の留め金具５６により、アタッチメント側給排気接続部３０に回転可能に取り付けられる。
【００４８】
３つの留め金具５６は、図５に示すように、アタッチメント側給排気接続部３０の外周縁において周方向に離間して、３箇所に配置される。３つの留め金具５６は、それぞれ、方向変換管４０の第１内外二重管４２の端部４２２ｂに形成される係止部４２２ｄと円環板部材３１の外周部とを挟み込むように配置される。係止部４２２ｄは、第１外管４２２の周面において、軸方向に延びる凹溝４２２ｃのアタッチメント側給排気接続部３０側の端面により構成される。凹溝４２２ｃは、第１外管４２２の周面において、円形側面板４１側から第１内外二重管４２の端部４２２ｂの手前まで軸方向に延びて形成される。
【００４９】
留め金具５６は、図５及び図６に示すように、略Ｕ字状に形成され、方向変換管４０側の一方片において、ビス５０１により、方向変換管４０の係止部４２２ｄに固定され、他方片において、アタッチメント側給排気接続部３０の円環板部材３１の周縁の表面に対向して配置される。これにより、円環板部材３１が方向変換管４０に対して回転すると共に、円環板部材３１が方向変換管４０から外れないように、留め金具５６は、円環板部材３１の位置を規制する。
【００５０】
方向変換管４０は、換気装置１と壁Ｗの壁孔Ｗｂ（孔部）との間で、外気ＯＡが流通する方向を左右方向Ｘから貫通方向Ｋに変換すると共に、排気ＥＡが流通する方向を貫通方向Ｋから左右方向Ｘに変換する。
【００５１】
方向変換管４０は、図７に示すように、第１内外二重管４２と、第１内外二重管４２の壁面Ｗａ側の端部を塞ぐ円形側面板４１と、第１内外二重管４２に接続される第２内外二重管４３（二重管）と、を有する。方向変換管４０は、換気装置１に供給される外気ＯＡ及び排気ＥＡの流通方向を変換するように、換気装置１の装置側給排気開口１０１を内外二重管４３に変換する。
【００５２】
第１内外二重管４２は、第１内管４２１と、第１外管４２２と、を有する。第１内管４２１及び第１外管４２２は、それぞれ、略円筒状に形成され、換気装置１の背面に設けられる装置側給排気開口１０１が貫通する貫通方向Ｋに延びる。第１外管４２２は、第１内管４２１よりも径が大きい円筒状に形成される。第１外管４２２は、第１内管４２１から離間して、第１内管４２１の外側に配置される。第１内管４２１と第１外管４２２とは、同心円状に配置され、二重管の構造を有する。
【００５３】
第１内管４２１の内部側の空間は、方向変換管４０をアタッチメント側給排気接続部３０に取り付けた状態において、アタッチメント側給排気接続部３０の給気仕切開口３１１に連通する。第１内管４２１の内部側の空間には、外気ＯＡが流通し、第１内管４２１は、外気ＯＡを換気装置１に供給する外気用の配管を構成する。
【００５４】
第１外管４２２と第１内管４２１との間の空間は、方向変換管４０をアタッチメント側給排気接続部３０に取り付けた状態において、アタッチメント側給排気接続部３０の外管連通部３１３に連通する。第１外管４２２と第１内管４２１との間の空間には、排気ＥＡが流通し、第１外管４２２は、排気用の配管を構成する。
【００５５】
第１内管４２１の貫通方向Ｋの長さは、第１外管４２２の貫通方向Ｋの長さよりも短く形成される。第１内管４２１の壁面Ｗａ側の端部及び第１外管４２２の壁面Ｗａ側の端部は、貫通方向Ｋにおいて同じ位置に配置される。第１内管４２１の換気装置１側の端部は、第１外管４２２における端部よりも壁面Ｗａ側に配置される。
【００５６】
第１内管４２１の壁面Ｗａ側の端部及び第１外管４２２の壁面Ｗａ側の端部は、円形側面板４１に接続されている。円形側面板４１は、第１外管４２２の径と略同じ大きさの径の円板状に形成され、第１内管４２１及び第１外管４２２を、第１内管４２１及び第１外管４２２における壁面Ｗａ側の端部側において塞ぐ。
【００５７】
第１内管４２１における円形側面板４１側の外面と円形側面板４１の内面とは、図７に示すように、接続部材４４により、接続されている。本実施形態においては、第１内管４２１における円形側面板４１側の外面と円形側面板４１の内面とを接続する接続部材４４を設けることで、方向変換管４０の製造時に、方向変換管４０を一体成型することを可能としている。なお、例えば、方向変換管４０を２部材以上で構成する場合には、接続部材４４を設けなくてもよい。
【００５８】
第１内管４２１の側部には、円形状の内管連通孔４２１ａが貫通して形成される。
第１外管４２２における第１内管４２１の内管連通孔４２１ａと同じ側の側部には、円形状の外管連通孔４２２ａが貫通して形成される。外管連通孔４２２ａは、内管連通孔４２１ａよりも大きい径により形成される。
【００５９】
第１外管４２２の外周面には、周方向に離間して、軸方向に延びる３つの凹溝４２２ｃが設けられている。凹溝４２２ｃは、第１外管４２２の外周面から内部側に窪み、かつ、第１外管４２２の内周面から内側に突出する。凹溝４２２ｃは、円形側面板４１側から第１内外二重管４２の端部４２２ｂの手前まで軸方向に延びる。凹溝４２２ｃにおけるアタッチメント側給排気接続部３０側の端面には、係止部４２２ｄが形成される。
【００６０】
第２内外二重管４３は、第２内管４３１と、第２外管４３２と、を有する。第２内管４３１及び第２外管４３２は、それぞれ、円筒状に形成され、左右方向Ｘ（貫通方向Ｋに交差する方向）に延びる。第２内管４３１と第２外管４３２とは、同心円状に配置され、二重管の構造を有する。
【００６１】
第２内管４３１は、第１内管４２１の外面における内管連通孔４２１ａの周縁から、外管連通孔４２２ａを貫通して、方向変換管４０の外方に向けて、左右方向Ｘ（貫通方向Ｋに交差する方向）の第２側Ｘ２に延びる。
【００６２】
第２外管４３２は、第１外管４２２の外面における外管連通孔４２２ａの周縁から、左右方向Ｘ（貫通方向Ｋに交差する方向）の第２側Ｘ２に延びる。第２外管４３２は、第２内管４３１よりも径が大きい円筒状に形成される。第２外管４３２は、第２内管４３１から離間して、第２内管４３１の外側に配置される。
【００６３】
第２内管４３１の内部側の空間は、第１内管４２１の内部側の空間に連通する。また、第２内管４３１は、方向変換管４０をアタッチメント側給排気接続部３０に取り付けた状態において、第１内管４２１を介して、アタッチメント側給排気接続部３０の給気仕切開口３１１に連通する。第２内管４３１は、外気ＯＡを換気装置１に供給する外気用の配管を構成する。第２内管４３１から第１内管４２１に向けて流通される外気ＯＡの流通方向は、左右方向Ｘから貫通方向Ｋに変換される。
【００６４】
第２外管４３２と第２内管４３１との間の空間は、第１外管４２２と第１内管４２１との間の空間に連通する。また、第２外管４３２と第２内管４３１との間の空間は、方向変換管４０をアタッチメント側給排気接続部３０に取り付けた状態において、第１外管４２２と第１内管４２１との間の空間を介して、アタッチメント側給排気接続部３０の外管連通部３１３に連通し、さらに、アタッチメント側給排気接続部３０の排気仕切開口３１２に連通する。第２外管４３２は、排気用の配管を構成する。第１外管４２２から第２外管４３２へ向けて流通される排気ＥＡの流通方向は、貫通方向Ｋから左右方向Ｘに変換される。
【００６５】
第２外管４３２の外周面には、フランジ部８３２ａが形成される。フランジ部４３２ａは、第２外管４３２の外周面から突出して形成される。
【００６６】
また、方向変換管４０の内部には、図６に示すように、側面板内面側円形断熱材５３と、側面板内面側環状断熱材５４と、３つの内周面円弧状断熱材５５と、が取り付けられている。側面板内面側円形断熱材５３、側面板内面側環状断熱材５４及び３つの内周面円弧状断熱材５５は、例えば、発泡スチロール等の断熱材で構成される。
【００６７】
側面板内面側円形断熱材５３は、円形状の板材で形成される。側面板内面側円形断熱材５３は、第１内管４２１の内側における円形側面板４１の内面に取り付けられる。
側面板内面側環状断熱材５４は、第２内管４３１が通る部分を避けるように略Ｃ字形状の円環状の板材で形成される。側面板内面側環状断熱材５４は、第１外管４２２と第１内管４２１との間における円形側面板４１の内面に取り付けられる。
なお、円形側面板４１の内面に、側面板内面側円形断熱材５３及び側面板内面側環状断熱材５４を配置した。ここで、円形側面板４１の外面において、円形側面板４１と第１内管４２１の端部が接続される円環部分においては、第１内管４２１からの熱が伝達され、円形側面板４１の外面に結露水が付着する可能性がある。そのため、例えば、円形側面板４１の外面に断熱材を配置してもよい。この場合には、円形側面板４１の外面に結露水が付着することを低減できる。
【００６８】
３つの内周面円弧状断熱材５５は、円弧状の板材で形成される。３つの内周面円弧状断熱材５５は、第１外管４２２の内周面に沿って連続して配置されている。
側面板内面側円形断熱材５３、側面板内面側環状断熱材５４及び３つの内周面円弧状断熱材５５は、第１外管４２２の内側の面に配置されることで、第１外管４２２の内部において断熱性を確保する。これにより、第１外管４２２の外面に結露水が付着することを低減できる。
【００６９】
以上のように構成されるアタッチメント側給排気接続部３０及び方向変換管４０においては、図１０に示すように、アタッチメント側給排気接続部３０の延在内周壁部３７に方向変換管４０の第１内外二重管４２の端部４２１ｂが回転可能に取り付けられ、且つ、アタッチメント側給排気接続部３０の円環板部材３１の外周二重壁３２に方向変換管４０の第１内外二重管４２の端部４２２ｂが回転可能に取り付けられることで、相互に回転可能に構成される。つまり、アタッチメント側給排気接続部３０及び方向変換管４０は、方向変換管４０の第２内外二重管４３を、換気装置１の装置側給排気開口１０１に対して回転させる回転機構を構成する。これにより、後述する壁Ｗの壁孔Ｗｂが設けられる位置に対応して、換気装置１と壁孔Ｗｂとの間の配管の方向を、貫通方向Ｋから、貫通方向Ｋに交差する左右方向Ｘに変換することができる。よって、換気装置１の背面に設けられた装置側給排気開口１０１の向きを、貫通方向Ｋから貫通方向Ｋに交差する方向に、容易に変換することができる。また、換気装置１の背面の装置側仕切部材１０２が延びる方向の向きに合わせて、給排気用アタッチメント７のアタッチメント側給排気接続部３０を回転させて、換気装置１の背面に、給排気用アタッチメント７を容易に取り付けることができる。
【００７０】
延在二重管６０は、図１及び図９に示すように、給排気用アタッチメント７の方向変換管４０の第２内外二重管４３に接続される。延在二重管６０は、図１に示すように、給排気用アタッチメント７から、壁Ｗの壁孔Ｗｂを介して、屋内から屋外に延びる。
【００７１】
延在二重管６０は、図１及び図９に示すように、屋内側延在二重管６１と、第１連結部材６２と、屈曲二重管６３と、第２連結部材６４と、屋外側延在二重管６５と、を備える。
【００７２】
屋内側延在二重管６１は、屋内において壁面Ｗａに沿って配置されている。
屋内側延在二重管６１は、図９に示すように、内側に配置される屋内側延在内管６１１と、屋内側延在内管６１１の外側に配置される屋内側延在外管６１２と、を有する。屋内側延在二重管６１は、屋内側延在内管６１１と屋内側延在外管６１２とにより、二重管の構造を有する。屋内側延在二重管６１は、第１側Ｘ１において給排気用アタッチメント７の方向変換管４０の第２内外二重管４３に接続され、第２側Ｘ２において第１連結部材６２を介して屈曲二重管６３に接続される。
【００７３】
屋内側延在内管６１１は、例えば、塩化ビニルで構成される。
屋内側延在外管６１２は、例えば、発泡スチロール等の断熱材で構成されており、内部に空気を流通させる機能と、断熱材としての機能との両方を兼ね備えている。
【００７４】
また、屋内側延在外管６１２は、径方向において分割されて形成される。具体的には、屋内側延在外管６１２は、軸方向に沿って半円状に切断した２つの断面視で半円弧状の屋内側延在外管半円部材６１２ａ，６１２ｂにより構成される。これにより、屋内側延在二重管６１の施工時に、屋内側延在内管６１１を配置した後に、２つの屋内側延在外管半円部材６１２ａ，６１２ｂを被せることで、屋内側延在二重管６１を施工できるため、施工が容易である。
【００７５】
屈曲二重管６３は、壁Ｗの壁孔Ｗｂに貫通して配置され、屋内において屈曲して形成される。屈曲二重管６３は、内側に配置される屈曲内管６３１と、屈曲内管６３１の外側に配置される屈曲外管６３２と、を有する。屈曲二重管６３は、屈曲内管６３１と屈曲外管６３２とにより、二重管の構造を有する。延在二重管９０は、屋内側において第１連結部材６２を介して屋内側延在二重管６１に接続され、屋内側の途中において壁Ｗ側に屈曲して、途中において壁Ｗの壁孔Ｗｂに貫通して配置され、屋外側において第２連結部材６４を介して、屋外側延在二重管６５に接続される。
【００７６】
屈曲内管６３１は、例えば、塩化ビニルで構成される。
屈曲外管６３２は、例えば、発泡スチロール等の断熱材で構成され、内部に空気を流通させる機能と、断熱材としての機能との両方を兼ね備えている。
【００７７】
また、屈曲内管６３１は、径方向において分割されて形成される。具体的には、屈曲内管６３１は、軸方向に沿って半円状に切断した２つの断面視で半円弧状の屈曲内管半円部材６３２ａ，６３２ｂにより構成される。これにより、屈曲内管６３１の施工時に、屈曲内管６３１を配置した後に、２つの屈曲内管半円部材６３２ａ，６３２ｂを被せることで、屈曲二重管６３を施工できるため、施工が容易である。
【００７８】
屋外側延在二重管６５は、屈曲内管６３１から水平に所定長さ延び、水平に所定長さ延びた端部から下方に屈曲して、壁Ｗに沿って下方に延びる。屋外側延在二重管６５は、内側に配置される屋外側延在内管６５１（延在内管）と、屋外側延在内管６５１の外側に配置される屋外側延在外管６５２（延在外管）と、を有する。屋外側延在二重管６５は、屋外側延在内管６５１と屋外側延在外管６５２とにより、二重管の構造を有する。
屋外側延在二重管６５は、屋外側の端部が、図１に示すように、下方に向けて開口する。屋外側延在内管６５１及び屋外側延在外管６５２は、例えば、塩化ビニルで構成される。
【００７９】
第１連結部材６２は、屋内側延在二重管６１と屈曲二重管６３とを連結する。
第１連結部材６２は、連結内管６２１と、連結外管６２３と、連結内管６２１及び連結外管６２３を接続する接続部６２２と、を有する。連結内管６２１及び連結外管６２３は、同心円状に配置される。
【００８０】
第２連結部材６４は、屈曲二重管６３と屋外側延在二重管６５とを連結する。
第２連結部材６４は、連結内管６４１と、連結外管６３３と、連結内管６４１及び連結外管６４３を接続する接続部６４２と、を有する。連結内管６４１及び連結外管６４３は、同心円状に配置される。
【００８１】
以上のように構成される屋内側延在二重管６１、屈曲二重管６３及び屋外側延在二重管６５において、屋内側延在内管６１１、屈曲内管６３１及び屋外側延在内管６５１には、外気ＯＡが流通される。つまり、屋内側延在内管６１１、屈曲内管６３１及び屋外側延在内管６５１は、外気ＯＡを換気装置１に供給する外気用の配管である。また、屋内側延在外管６１２、屈曲外管６３２及び屋外側延在外管６５２には、排気ＥＡが流通される。つまり、屋内側延在外管６１２、屈曲外管６３２及び屋外側延在外管６５２は、排気用の配管である。
【００８２】
屋外側延在二重管６５における給排気用アタッチメント７の方向変換管４０の第２内外二重管４３と反対側の端部において、図１に示すように、屋外側延在内管６５１の屋外側の端部は、屋外側延在外管６５２の屋外側の端部よりも突出した位置に配置される。これにより、屋外側延在外管６５２の端部から排出された排気ＥＡは、屋外側延在内管６５１の端部から吸い込まれることが低減される。
【００８３】
ここで、既存の壁Ｗの壁孔Ｗｂは、例えば、エアコンを設置したときに設けられたエアコン用の孔であり、換気装置１の装置側給排気開口１０１の径の大きさよりも小さい場合がある。本実施形態においては、例えば、壁Ｗの壁孔Ｗｂの径は６５ｍｍであり、本実施形態における換気装置１の装置側給排気開口１０１の径は１００ｍｍである。
【００８４】
ところで、換気装置１においては、換気効率を向上させるために、装置側給排気開口１０１の径の大きさを設定している。装置側給排気開口１０１の径の大きさは、換気装置１の換気性能を発揮できる大きさに設定されている。装置側給排気開口１０１の径の大きさは、換気装置１のサイズ（容量）に依存する傾向があり、換気装置１のサイズが大きい程、装置側給排気開口１０１の径を大きくするように設定している。
【００８５】
ここで、例えば、既存の壁孔Ｗｂの径の大きさが換気装置１の装置側給排気開口１０１の径の大きさよりも小さい場合に、既存の壁孔Ｗｂの径の大きさと同じ径の装置側給排気開口を備える換気装置を選択すると、換気装置のサイズ（容量）が小さくなり、換気性能が低い換気装置を設置せざるを得なくなる。また、既存の壁孔Ｗｂの径の大きさに合わせて装置側給排気開口の径を小さく変更すると、換気装置のサイズ（容量）が大きくても、換気装置の換気効率が低下することになる。また、装置側給排気開口の径の大きさと同じ径の大きさの壁孔を使用する場合には、既存の壁孔Ｗｂを利用できないため、既存の壁孔Ｗｂを加工したり、新たな壁孔を設ける必要性が生じる。
【００８６】
これに対して、本発明においては、換気装置１と壁面Ｗａとの間に、給排気用アタッチメント７を配置した。給排気用アタッチメント７は、換気装置１の装置側給排気開口１０１の貫通方向Ｋに交差する左右方向Ｘに延びる第２内外二重管４３を備える。これより、給排気用アタッチメント７を換気装置１と壁面Ｗａとの間に配置して、給排気用アタッチメント７の方向変換管４０により、給気された外気ＯＡの方向を貫通方向Ｋから左右方向Ｘに変換し且つ排気ＥＡの方向を左右方向Ｘから貫通方向Ｋに変換することで、既存の壁孔Ｗｂをそのまま利用できる。また、第２内外二重管４３は、同心円状の二重管の構造であるため、径の変更が容易である。そのため、換気装置１の装置側給排気開口１０１の径の大きさを変更せずに、換気装置１を設置できる。これにより、換気装置１の換気効率を低下させずに、既存の壁孔Ｗｂを利用して、換気装置１を容易に設置できる。
【００８７】
また、本発明においては、給排気用アタッチメント７は、換気装置１の背面において下側排気口１０１ａと上側給気口１０１ｂとに仕切られた装置側給排気開口１０１を、第２内外二重管４３に変更している。これにより、換気装置１の給排気構造６は、屋内側から屋外側に向けて配管をする際に、第２内外二重管４３に変更した壁Ｗ側において、配管を二重管とすることができる。ここで、内外二重管は、内管及び外管により構成され、管を仕切る形式の仕切管よりも、単に同心円状の二重に構成されている簡単な構造であるため、比較的コストが安い。また、内外二重管は、屋内側から屋外側に向けて配管する際に、単に同心円状の二重に構成されている構造であるため、曲げ加工を行い易く、壁孔Ｗｂまでの配管を行い易い。
【００８８】
よって、給排気用アタッチメント７を用いて、換気装置１の背面における下側排気口１０１ａと上側給気口１０１ｂとに仕切られた装置側給排気開口１０１（上下に仕切られた二層の開口、下側排気口１０１ａ及び上側給気口１０１ｂ）を壁Ｗ側において内外二重管に変更することで、製造コストを安くできる。また、内外二重管は曲げ加工を行い易いため、施工性を向上させることができる。
【００８９】
次に、換気装置１の給排気構造６の施工方法について説明する。
換気装置１の給排気構造６を施工する場合には、図９に示すように、背面板１１を換気装置１の背面に取り付ける前に、まず、背面板１１にアタッチメント側給排気接続部３０を接続する。具体的には、円環板部材３１を、ビス５０２により、背面板１１の背面板開口１１ａの縁部に固定する。
【００９０】
続けて、円環板部材３１に方向変換管４０を取り付ける。この場合には、アタッチメント側給排気接続部３０に方向変換管４０を取り付けた状態で、略Ｕ字形状の留め金具５６をアタッチメント側給排気接続部３０の周縁及び方向変換管４０の係止部４２２ｄに嵌めて、ビス５０１により、留め金具５６を方向変換管４０の係止部４２２ｄに固定する。これにより、方向変換管４０は、円環板部材３１に対して回転可能な状態で取り付けられる。
【００９１】
次に、方向変換管４０に、延在二重管６０の屋内側延在内管６１１及び屈曲内管６３１を取り付ける。屋内側延在内管６１１及び屈曲内管６３１を、第１連結部材６２及び第２連結部材６４を介して、方向変換管４０の第２内外二重管４３の第２内管４３１に取り付ける。
その後、屋内側延在外管６１２及び屈曲外管６３２を、第１連結部材６２及び第２連結部材６４を介して、方向変換管４０の第２内外二重管４３の第２外管４３２に取り付ける。
ここで、屋内側延在外管６１２及び屈曲外管６３２は、径方向に分離するように半分に分割されているため、取り付ける作業性が容易である。
【００９２】
そして、背面板１１の背面の面に、ビス５０３により、取付用ステー５７を取り付ける。取付用ステー５７は、断面略Ｃ字形状に形成され、壁Ｗと換気装置１との間に、給排気用アタッチメント７が配置された場合に、給排気用アタッチメント７が配置される空間を確保するために使用される。
【００９３】
続けて、背面板１１の前方側に、換気装置１を取り付ける。
そして、取付用ステー５７を壁Ｗに取り付けることで、給排気用アタッチメント７を換気装置１と壁Ｗとの間に配置して、給排気用アタッチメント７を換気装置１の装置側給排気開口１０１（給排気二層開口）と壁面Ｗａの壁孔Ｗｂ（孔部）との間に設置する。
ここで、例えば、取付用ステー５７を壁Ｗにビスで取り付ける際に、ビスの取り付け位置が予め記入されたテンプレートの用紙を用いてもよい。ビスの取り付け位置は、例えば、壁面Ｗａの壁孔Ｗｂと換気装置１の装置側給排気開口１０１の位置の関係などに基づいて予め設定できる。テンプレートの用紙を用いて取付用ステー５７を取り付け位置に容易に取り付けることができ、取付用ステー５７が接続された換気装置１及び給排気用アタッチメント７を、壁面Ｗａに容易に取り付けることができる。
【００９４】
次に、屋内側延在外管６１２の外表面に、屋内側延在外管６１２の外表面に沿って外表面を覆うカバー材（図示せず）を取り付ける。これにより、屋内において、配管が露出することによって生じる意匠性が損われることを低減できる。なお、壁Ｗと換気装置１との間に配置された給排気用アタッチメント７や屋内側延在外管６１２を隠すように、壁Ｗと換気装置１との間に配置された給排気用アタッチメント７や屋内側延在外管６１２の一部又は全部を覆う化粧カバーを設けてもよい。
【００９５】
その後、壁孔Ｗｂに屈曲外管６３２を屋内から屋外に貫通させる。そして、屋外において、屈曲内管６３１には、第２連結部材６４を介して、延在二重管６０の屋外側延在内管６５１を取り付ける。屈曲外管６３２には、第２連結部材６４を介して、延在二重管６０の屋外側延在外管６５２を取り付ける。
以上のように、換気装置１の給排気構造６を施工することができる。
【００９６】
以上のように構成される換気装置１の給排気構造６を用いた排気ＥＡ及び外気ＯＡの流れについて簡単に説明する。図１０に示すように、換気装置１からの排気ＥＡは、アタッチメント側給排気接続部３０の排気仕切開口３１２から導入され、排気仕切開口３１２から外管連通部３１３を介して、第１内外二重管４２の第１外管４２２と第１内管４２１との間の空間を通り、第２内外二重管４３の第２外管４３２と第２内管４３１との間の空間へ流通される。第１外管４２２と第１内管４２１との間の空間から第２外管４３２と第２内管４３１との間の空間へ流通される排気ＥＡは、空気が流通する方向が、貫通方向Ｋから左右方向Ｘに変換される。第２外管４３２に流通された排気ＥＡは、延在二重管６０の延在外管６５２を通して、屋外へ排出される。
【００９７】
一方、換気装置１への外気ＯＡの供給は、外気ＯＡが延在二重管６０の６５１を介して、屋外から屋内に導入される。６５１から導入された外気ＯＡは、６５１から第２内外二重管４３の第２内管４３１へ流通され、第２内外二重管４３の第２内管４３１から第１内外二重管４２の第１内管４２１へ流通される。第２内管４３１から第１内管４２１へ流通される外気ＯＡは、空気が流通する方向が、左右方向Ｘから貫通方向Ｋに変換される。第１内管４２１へ流通された外気ＯＡは、アタッチメント側給排気接続部３０の給気仕切開口３１１から、換気装置１へ供給される。
【００９８】
以上説明した第１実施形態に係る換気装置１の給排気構造６によれば、以下のような効果を奏する。
【００９９】
本実施形態に係る換気装置１の給排気構造６は、屋内側の壁面Ｗａと換気装置１との間に配置される給排気用アタッチメント７を備える換気装置１の給排気構造６であって、給排気用アタッチメント７は、二層に仕切られた換気装置１の装置側給排気開口１０１が設けられた換気装置１の背面に接続されており、外気ＯＡ及び排気ＥＡの流通方向を変換するように、換気装置１の装置側給排気開口１０１を内外二重管４３に変換する方向変換管４０を備える。
【０１００】
そのため、給排気用アタッチメント７を用いることで、外気ＯＡの流通方向を、貫通方向Ｋから左右方向Ｘに変換することができ、排気ＥＡの流通方向を左右方向Ｘから貫通方向Ｋに変換することができる。これにより、既存の壁孔Ｗｂをそのまま利用して、壁Ｗに設けられた既存の壁孔Ｗｂに、換気装置１の装置側給排気開口１０１を容易に接続できる。
【０１０１】
特に、既存の壁孔Ｗｂの径の大きさと換気装置１の装置側給排気開口１０１の径の大きさと異なる場合においても、装置側給排気開口１０１の二層の開口（下側排気口１０１ａ及び上側給気口１０１ｂ）の貫通方向Ｋを方向変換管４０の内外二重管８３が延びる方向に変換できるため、既存の壁孔Ｗｂに、換気装置１の装置側給排気開口１０１を容易に接続できる。これにより、既存の壁孔Ｗｂをそのまま利用して、換気装置１をリフォームにより設置する場合に、換気装置１を容易に設置できる。
【０１０２】
また、換気装置１の装置側給排気開口１０１の径の大きさが既存の壁孔Ｗｂの径の大きさよりも大きい場合においても、第２内外二重管４３により径の大きさの変更が容易であるため、換気装置１の装置側給排気開口１０１の径の大きさを変更することなく、又は、壁Ｗに新たな孔を設けることなく、換気装置１を容易に設置できる。これにより、給排気用アタッチメント７を用いることで、換気装置１の装置側給排気開口１０１の径の大きさが既存の壁孔Ｗｂの径の大きさよりも大きい場合であっても、換気効率を下げずに、効率よく換気を行うことができる。
【０１０３】
また、換気装置１の背面における下側排気口１０１ａと上側給気口１０１ｂとに仕切られた装置側給排気開口１０１（上下に仕切られた二層の開口、下側排気口１０１ａ及び上側給気口１０１ｂ）を、壁Ｗ側において、第２内外二重管４３に変換する。そのため、内外二重管を使用することで製造コストを安くできると共に、内外二重管は曲げ加工を行い易いため施工性を向上させることができる。
【０１０４】
また、本実施形態においては、アタッチメント側給排気接続部３０及び方向変換管４０は、互いの接続状態において、相互に回転可能である。つまり、アタッチメント側給排気接続部３０及び方向変換管４０は、方向変換管４０の第２内外二重管４３を、換気装置１の装置側給排気開口１０１に対して回転させる回転機構を構成する。そのため、既存の壁孔Ｗｂの位置に応じて方向変換管４０を回転させるだけで、既存の壁孔Ｗｂへの配管の引き回しを一層容易にすることができる。これにより、既存の壁孔Ｗｂの位置に対応して換気装置１を容易に配置することができる。また、既存の壁孔Ｗｂの位置がいずれの位置であっても、換気装置１を容易に配置できるため、換気装置１の配置の自由度を向上することができる。
【０１０５】
また、本実施形態においては、第２内管４３１は、外気ＯＡを換気装置１に供給する外気用の配管であり、第２外管４３２は、排気用の配管である。
ここで、一般的に、外気ＯＡは、屋外側から導入される冷たい空気から構成され、排気ＥＡは、屋内側から排出される暖かい空気から構成される。そのため、第２内外二重管４３において、内側に配置される第２内管４３１には冷たい外気ＯＡが流通され、外側に配置される第２外管４３２には暖かい排気ＥＡが流通される。これにより、第２内外二重管４３は、外側において第２外管４３２を流通する暖かい排気ＥＡにより保温される。また、暖かい排気ＥＡが流通する第２外管４３２が外側に配置されるため、第２内外二重管４３の外面において、結露が生じることを抑制することができる。
【０１０６】
また、本実施形態においては、第２内外二重管４３に接続され６５１及び６５２を有する延在二重管６０を更に備え、延在二重管９０における第２内外二重管４３と反対側の端部において、６５１の端部は、６５２の端部よりも突出して配置される。そのため、６５２から排出される排気ＥＡを、６５１が吸い込むことを低減できる。
【０１０７】
また、本実施形態においては、方向変換管４０の内部に断熱材を配置する。これにより、方向変換管４０の内部において断熱性を確保することができる。よって、方向変換管４０の外面に結露水が付着することを低減できる。
【０１０８】
また、本実施形態においては、屋内側延在外管６１２及び屈曲外管６３２は、断熱材で構成されるため、内部に空気を流通させる機能と、断熱材としての機能との両方を兼ね備えている。これにより、内部に空気を流通させつつ、屋内側延在外管６１２及び屈曲外管６３２の外面に結露水が付着することを低減できる。また、塩化ビニル管の外に断熱材を配置する構成を採用しなくてよいため、製造コストを削減でき、屋内側延在外管６１２及び屈曲外管６３２の径が太くなることを低減でき、結果的に、屋内側の奥行が大きくなることを低減できる。
【０１０９】
（第２実施形態）
次に、第２実施形態に係る換気装置１の給排気構造６Ａについて説明する。第２実施形態に係る換気装置１は、屋内側の壁Ｗの壁面Ｗａの上部等に取り付けられ、本発明に係る給排気構造６Ａを介して、建物の屋外と屋内の間で空気を給排気して換気を行う換気装置である。換気装置１の構成は、第１実施形態と同様であるため、その説明を省略する。図１１は、第２実施形態の換気装置１の給排気構造６Ａの使用状態を示す図である。図１２は、第２実施形態の換気装置１と給排気構造６Ａとの位置関係を示す斜視図である。は、給排気用アタッチメント７Ａを示す斜視図である。図１４は、第２実施形態の給排気用アタッチメント７Ａを、アタッチメント側給排気接続部７０と方向変換管８０とに分解して示した分解斜視図である。図１５は、第２実施形態の給排気用アタッチメント７Ａのアタッチメント側給排気接続部７０を示す斜視図である。図１６は、図１３に示す給排気用アタッチメント７ＡのＡ−Ａ線断面図である。
【０１１０】
図１１及び図１２に示すように、換気装置１の給排気構造６Ａは、換気装置１の背面板１１に設けられる装置側給排気接続アダプタ１２を介して換気装置１の背面に取り付けられる。
【０１１１】
装置側給排気接続アダプタ１２は、換気装置１の背面板１１の左右方向Ｘの第１側Ｘ１の上端側において、背面板１１の背面板開口１１ａの縁部に取り付けられる。
装置側給排気接続アダプタ１２は、図１２に示すように、アダプタ環状部材１２１と、アダプタ環状部材１２１のアダプタ給排気開口１２０の上下方向の中央において左右方向Ｘに延びるアダプタ仕切部材１２３と、を有する。アダプタ仕切部材１２３は、給排気構造６Ａの給排気用アタッチメント７Ａに取り付けられる。
【０１１２】
アダプタ環状部材１２１は、環状に形成され、背面板１１の背面板開口１１ａの縁部に取り付けられる。アダプタ環状部材１２１には、アダプタ給排気開口１２０が形成されている。
【０１１３】
アダプタ仕切部材１２３は、アダプタ給排気開口１２０を、アダプタ下側排気口１２０ａとアダプタ上側給気口１２０ｂとに仕切る。アダプタ仕切部材１２３は、アダプタ給排気開口１２０の上下方向の略中央において、アダプタ給排気開口１２０の径方向に水平に延びる。これにより、アダプタ給排気開口１２０の下側の半円部分により排気ＥＡが通過するアダプタ下側排気口１２０ａが構成され、アダプタ給排気開口１２０の上側の半円部分により外気ＯＡが通過するアダプタ上側給気口１２０ｂが構成される。
【０１１４】
装置側給排気接続アダプタ１２が背面板１１の背面板開口１１ａの縁部に取り付けられ、かつ、背面板１１が換気装置１に取り付けられた状態においては、装置側給排気接続アダプタ１２のアダプタ給排気開口１２０は、換気装置１の背面に設けられた装置側給排気開口１０１に連通する。また、アダプタ下側排気口１２０ａは、装置側給排気開口１０１の下側排気口１０１ａに連通し、アダプタ上側給気口１２０ｂは、装置側給排気開口１０１の上側給気口１０１ｂに連通する。
【０１１５】
換気装置１の給排気構造６Ａは、図１３及び図１４に示すように、給排気用アタッチメント７Ａと、延在二重管９０（図１１参照）と、を有する。
【０１１６】
給排気用アタッチメント７Ａは、図１１に示すように、屋内側の壁面Ｗａと換気装置１との間に配置される。
給排気用アタッチメント７Ａは、図１３〜図１５に示すように、アタッチメント側給排気接続部７０（アタッチメント側接続部）と、方向変換管８０（方向変換機構）と、を備える。アタッチメント側給排気接続部７０には、アタッチメント側給排気接続部７０及び方向変換管８０が互いの接続状態において相互に回転可能な状態で、方向変換管８０が取り付けられている。
【０１１７】
アタッチメント側給排気接続部７０は、換気装置１の背面の背面板１１に設けられる装置側給排気接続アダプタ１２に取り付けられている。アタッチメント側給排気接続部７０は、図１４及び図１５に示すように、円環板部材７１（環状部材）と、外周二重壁７２と、内周延出壁７３と、内周突出壁７４と、仕切二重壁７５（アタッチメント側仕切部材）と、内縁半円弧壁部７６と、半円板部７７と、延在内周壁部７８と、を備える。
【０１１８】
円環板部材７１は、中央にアタッチメント側給排気開口７１０（アタッチメント側開口）が形成された円環状の板状に形成される。円環板部材７１は、径方向に所定長さの幅を有して形成され、壁面Ｗａに平行に配置される。
【０１１９】
外周二重壁７２は、円環板部材７１における壁面Ｗａ側の面の外周縁から、壁面Ｗａ側に延びる。外周二重壁７２は、円環板部材７１の全周に亘って形成される。外周二重壁７２は、図７に示すように、第１外周壁部７２１と、第２外周壁部７２２と、を有する。第１外周壁部７２１及び第２外周壁部７２２は、それぞれ、円筒状に形成される。第１外周壁部７２１及び第２外周壁部７２２は、第１外周壁部７２１が外側に配置された状態で、二重に配置され、二重の外周壁を構成する。
外周二重壁７２は、方向変換管８０をアタッチメント側給排気接続部７０に取り付けた状態において、後述する方向変換管８０の第１内外二重管８２の端部８２２ｂに回転可能に係止される。
【０１２０】
内周延出壁７３は、円環板部材７１の内周縁から、壁面Ｗａに平行に、円環板部材７１の径方向の内側に所定幅で延出する。内周延出壁７３は、円環板部材７１の全周に亘って形成される。
【０１２１】
内周突出壁７４は、円環板部材７１の内周縁から換気装置１側に所定長さで突出する。内周突出壁７４は、円環板部材７１の全周に亘って形成される。内周突出壁７４は、給排気用アタッチメント７を換気装置１の背面の背面板１１に設けられた装置側給排気接続アダプタ１２に取り付けた状態において、換気装置１の背面の背面板１１に設けられた装置側給排気接続アダプタ１２のアダプタ環状部材１２１（図１２参照）に取り付けられる。
【０１２２】
仕切二重壁７５は、円環板部材７１のアタッチメント側給排気開口７１０を略中央で仕切る。仕切二重壁７５は、アタッチメント側給排気開口７１０の中心を通り、径方向に延びる。仕切二重壁７５は、第１壁部７５１と、第２壁部７５２と、を有する。第１壁部７５１及び第２壁部７５２は、平行に配置され、二重壁を構成する。
【０１２３】
仕切二重壁７５は、アタッチメント側給排気開口７１０を、給気ＳＡが通過する給気仕切開口７１１（給気通過部分）と、排気ＥＡが通過する排気仕切開口７１２（排気通過部分）とに仕切る。これにより、アタッチメント側給排気開口７１０の一方側の半円部分により給気ＳＡが通過する給気仕切開口７１１が構成され、アタッチメント側給排気開口７１０の他方側の半円部分により排気ＥＡが通過する排気仕切開口７１２が構成される。
仕切二重壁７５は、給排気用アタッチメント７を換気装置１の背面の背面板１１に設けられた装置側給排気接続アダプタ１２に取り付けた状態において、換気装置１の背面の背面板１１に設けられた装置側給排気接続アダプタ１２のアダプタ仕切部材１２３（図１２参照）に係止される。
【０１２４】
図１４に示すように、第１壁部７５１における第１壁部７５１が延びる径方向の中央には、第２壁部７５２と反対側に突出する第１円弧凸部７５１ａが形成される。
第２壁部７５２における第２壁部７５２が延びる径方向の中央には、第１壁部７５１と反対側に突出する第２円弧凸部７５２ａが形成される。
【０１２５】
内縁半円弧壁部７６は、半円筒状の壁状に形成され、貫通方向Ｋに延びる。内縁半円弧壁部７６の外面は、貫通方向Ｋの途中において、内周延出壁７３の内周縁の第２壁部７５２側の内周縁に接続される。内縁半円弧壁部７６は、内周突出壁７４の半周の部分における内周突出壁７４に沿って、内周突出壁７４の内側に離間して配置される。内縁半円弧壁部７６及び内周突出壁７４は、二重に配置され、二重の円弧壁を構成する。
【０１２６】
内縁半円弧壁部７６の周方向の両端部は、それぞれ、仕切二重壁７５の第２壁部７５２の径方向の両端部に接続される。内縁半円弧壁部７６と仕切二重壁７５の第２壁部７５２とで囲まれる部分は、貫通方向Ｋに延びる半円形状に形成され、前述の給気仕切開口７１１を構成する。給気仕切開口７１１は、後述する方向変換管８０の第１内外二重管８２の第１内管８２１に連通する。
【０１２７】
半円板部７７は、半円板形状に形成され、円環板部材７１の排気仕切開口７１２において、貫通方向Ｋの壁Ｗ側に配置される。半円板部７７は、仕切二重壁７５の第１壁部７５１における貫通方向Ｋの壁面Ｗａ側の端部から、壁面Ｗａに沿って壁面Ｗａに平行に延びる。半円板部７７は、貫通方向Ｋに視た場合に、排気仕切開口７１２と略同じ大きさに形成される。半円板部７７の外周縁は、アタッチメント側給排気開口７１０を形成する円環板部材７１の内周縁と略同じ半円弧形状に形成される。
【０１２８】
円環板部材７１の内周縁と半円板部７７の外周縁との間には、貫通方向Ｋに幅を有すると共に径方向に開口する外管連通部７１３が形成される。外管連通部７１３は、半円板部７７の換気装置１側の空間から径方向の外側に連通する。
方向変換管８０をアタッチメント側給排気接続部７０に取り付けた状態において、円環板部材７１の排気仕切開口７１２を流通された排気ＥＡは、外管連通部７１３を介して、又は、半円板部７７に到達した後に外管連通部７１３を介して、後述する方向変換管８０の第１内外二重管８２の第１外管８２２に流通される。
【０１２９】
延在内周壁部７８は、図１５に示すように、円筒状に形成され、内縁半円弧壁部７６の壁Ｗ側の端部及び半円板部７７の円弧部分の外周縁から壁面Ｗａ側に延びる。方向変換管８０をアタッチメント側給排気接続部７０に取り付けた状態において、図１６に示すように、延在内周壁部７８は、後述する方向変換管８０の第１内外二重管８２の第１内管８２１の換気装置１側の端部８２１ｂの内周面に沿って配置される。延在内周壁部７８は、方向変換管８０をアタッチメント側給排気接続部７０に取り付けた状態において、後述する方向変換管８０の第１内外二重管８２の端部８２１ｂに回転可能に係止される。
【０１３０】
以上のように構成されるアタッチメント側給排気接続部７０は、図４及び図１４に示すように、仕切二重壁７５が換気装置１の背面板１１に設けられる装置側給排気接続アダプタ１２のアダプタ仕切部材１２３に係止されて接続され、かつ、内周突出壁７４が換気装置１の背面に設けられる装置側給排気接続アダプタ１２のアダプタ環状突状部１２２に係止されて接続されることで、換気装置１の背面板１１に設けられる装置側給排気接続アダプタ１２に接続される。
【０１３１】
方向変換管８０は、図１３及び図１４に示すように、アタッチメント側給排気接続部７０に回転可能に取り付けられる。方向変換管８０は、換気装置１と壁Ｗの壁孔Ｗｂとの間で、外気ＯＡが流通する方向を左右方向Ｘから貫通方向Ｋに変換すると共に、排気ＥＡが流通する方向を貫通方向Ｋから左右方向Ｘに変換する。
【０１３２】
方向変換管８０は、図１４に示すように、第１内外二重管８２と、第１内外二重管８２の壁面Ｗａ側の端部を塞ぐ円形側面板８１と、第１内外二重管８２に接続される第２内外二重管８３（二重管）と、を有する。方向変換管８０は、外気ＯＡ及び排気ＥＡの流通方向を変換するように、換気装置１の装置側給排気開口１０１を内外二重管８３に変換する。
【０１３３】
第１内外二重管８２は、第１内管８２１と、第１外管８２２と、を有する。第１内管８２１及び第１外管８２２は、それぞれ、円筒状に形成され、換気装置１の背面に設けられる装置側給排気開口１０１が貫通する貫通方向Ｋに延びる。第１外管８２２は、第１内管８２１よりも径が大きい円筒状に形成される。第１外管８２２は、第１内管８２１から離間して、第１内管８２１の外側に配置される。第１内管８２１と第１外管８２２とは、同心円状に配置され、二重管の構造を有する。
【０１３４】
第１内管８２１の内部側の空間は、方向変換管８０をアタッチメント側給排気接続部７０に取り付けた状態において、アタッチメント側給排気接続部７０の給気仕切開口７１１に連通する。第１内管８２１の内部側の空間には、外気ＯＡが流通し、第１内管８２１は、外気ＯＡを供給する給気用の配管を構成する。
【０１３５】
第１外管８２２と第１内管８２１との間の空間は、方向変換管８０をアタッチメント側給排気接続部７０に取り付けた状態において、アタッチメント側給排気接続部７０の外管連通部７１３に連通する。第１外管８２２と第１内管８２１との間の空間には、排気ＥＡが流通し、第１外管８２２は、排気用の配管を構成する。
【０１３６】
第１内管８２１の貫通方向Ｋの長さは、第１外管８２２の貫通方向Ｋの長さよりも短く形成される。第１内管８２１の壁面Ｗａ側の端部及び第１外管８２２の壁面Ｗａ側の端部は、貫通方向Ｋにおいて同じ位置に配置される。第１内管８２１の換気装置１側の端部は、第１外管８２２における端部よりも壁面Ｗａ側に配置される。
【０１３７】
第１内管８２１の壁面Ｗａ側の端部及び第１外管８２２の壁面Ｗａ側の端部は、円形側面板８１に接続されている。円形側面板８１は、第１外管８２２の径と略同じ大きさの径の円板状に形成され、第１内管８２１及び第１外管８２２を、第１内管８２１及び第１外管８２２における壁面Ｗａ側の端部側において塞ぐ。
【０１３８】
このように、第１内管８２１の壁面Ｗａ側の端部及び第１外管８２２の壁面Ｗａ側の端部を、共通の１枚の円形側面板８１で塞ぐように構成した。そのため、第１内管８２１の壁面Ｗａ側の端部及び第１外管８２２の壁面Ｗａ側の端部それぞれの端部を塞ぐ部材をそれぞれ設けなくてよい。よって、第１内管８２１の壁面Ｗａ側の端部及び第１外管８２２の壁面Ｗａ側の端部それぞれの端部を塞ぐ部材をそれぞれ設ける場合よりも、端部を塞ぐ部材に要するコストを低減できる。また、第１内管８２１の壁面Ｗａ側の端部及び第１外管８２２の壁面Ｗａ側の端部それぞれの端部を塞ぐ部材をそれぞれ設ける場合よりも、第１内外二重管８２の貫通方向Ｋの厚さを小さくでき、給排気用アタッチメント７の貫通方向Ｋの厚さを小さく形成できる。
【０１３９】
第１内管８２１の側部には、円形状の内管連通孔８２１ａが貫通して形成される。
第１外管８２２における第１内管８２１の内管連通孔８２１ａと同じ側の側部には、円形状の外管連通孔８２２ａが貫通して形成される。外管連通孔８２２ａは、内管連通孔８２１ａよりも大きい径により形成される。
【０１４０】
第２内外二重管８３は、第２内管８３１と、第２外管８３２と、を有する。第２内管８３１及び第２外管８３２は、それぞれ、円筒状に形成され、左右方向Ｘ（貫通方向Ｋに交差する方向）に延びる。第２内管８３１と第２外管８３２とは、同心円状に配置され、二重管の構造を有する。
【０１４１】
第２内管８３１は、第１内管８２１の外面における内管連通孔８２１ａの周縁から、外管連通孔８２２ａを貫通して、方向変換管８０の外方に向けて、左右方向Ｘ（貫通方向Ｋに交差する方向）の第１側Ｘ１に延びる。
【０１４２】
第２外管８３２は、第１外管８２２の外面における外管連通孔８２２ａの周縁から、左右方向Ｘ（貫通方向Ｋに交差する方向）の第１側Ｘ１に延びる。第２外管８３２は、第２内管８３１よりも径が大きい円筒状に形成される。第２外管８３２は、第２内管８３１から離間して、第２内管８３１の外側に配置される。
【０１４３】
第２内管８３１の内部側の空間は、第１内管８２１の内部側の空間に連通する。また、第２内管８３１は、方向変換管８０をアタッチメント側給排気接続部７０に取り付けた状態において、第１内管８２１を介して、アタッチメント側給排気接続部７０の給気仕切開口７１１に連通する。第２内管８３１は、給気用の配管を構成する。第２内管８３１から第１内管８２１に向けて流通される供給された外気ＯＡの流通方向は、左右方向Ｘから貫通方向Ｋに変換される。
【０１４４】
第２外管８３２と第２内管８３１との間の空間は、第１外管８２２と第１内管８２１との間の空間に連通する。また、第２外管８３２と第２内管８３１との間の空間は、方向変換管８０をアタッチメント側給排気接続部７０に取り付けた状態において、第１外管８２２と第１内管８２１との間の空間を介して、アタッチメント側給排気接続部７０の外管連通部７１３に連通し、さらに、アタッチメント側給排気接続部７０の排気仕切開口７１２に連通する。第２外管８３２は、排気用の配管を構成する。第１外管８２２から第２外管８３２へ向けて流通される排気ＥＡの流通方向は、貫通方向Ｋから左右方向Ｘに変換される。
【０１４５】
第２外管８３２の外周面には、フランジ部８３２ａが形成される。フランジ部８３２ａは、外周面の周方向の全域において、外周面から突出して形成され、円環状に延びる。
【０１４６】
以上のように構成されるアタッチメント側給排気接続部７０及び方向変換管８０においては、図１６に示すように、アタッチメント側給排気接続部７０の延在内周壁部７８に方向変換管８０の第１内外二重管８２の端部８２１ｂが回転可能に取り付けられ、且つ、アタッチメント側給排気接続部７０の円環板部材７１の外周二重壁７２に方向変換管８０の第１内外二重管８２の端部８２２ｂが回転可能に取り付けられることで、相互に回転可能に構成される。これにより、後述する壁Ｗの壁孔Ｗｂが設けられる位置に対応して、換気装置１と壁孔Ｗｂとの間の配管の方向を、貫通方向Ｋから、貫通方向Ｋに交差する左右方向Ｘに変換することができる。つまり、アタッチメント側給排気接続部７０及び方向変換管８０は、方向変換管８０の第２内外二重管８３を、換気装置１の装置側給排気開口１０１に対して回転させる回転機構を構成する。よって、換気装置１の背面に設けられた装置側給排気開口１０１の向きを、貫通方向Ｋから貫通方向Ｋに交差する方向に、容易に変換することができる。また、換気装置１の背面板１１に取り付けられた装置側給排気接続アダプタ１２のアダプタ仕切部材１２３が延びる方向の向きに合わせて、給排気用アタッチメント７のアタッチメント側給排気接続部７０を回転させて、換気装置１の背面に、給排気用アタッチメント７を容易に取り付けることができる。
【０１４７】
延在二重管９０は、図１６に示すように、給排気用アタッチメント７の方向変換管８０の第２内外二重管８３に接続される。延在二重管９０は、図１１に示すように、給排気用アタッチメント７から、壁Ｗの壁孔Ｗｂを介して、屋内から屋外に延びる。
【０１４８】
延在二重管９０は、内側に配置される延在内管９１と、延在内管９１の外側に配置される延在外管９２と、を有する。延在二重管９０は、延在内管９１及び延在外管９２により、二重管の構造を有する。延在二重管９０は、屋内側において壁面Ｗａに沿って配置され、途中において壁Ｗの壁孔Ｗｂに貫通して配置され、屋外側において下方に屈曲して、壁Ｗに沿って下方に延びる。
【０１４９】
延在内管９１は、屋内側の端部が、図１６に示すように、給排気用アタッチメント７の第２内外二重管８３の第２内管８３１に接続され、屋外側の端部が、図１１に示すように、下方に向けて開口する。延在内管９１には、外気ＯＡが流通される。つまり、延在内管９１は、外気ＯＡを供給する給気用の配管である。
【０１５０】
延在外管９２は、屋内側の端部が、図１６に示すように、シール部材９３を介して、給排気用アタッチメント７の第２内外二重管８３の第２外管８３２に接続され、屋外側の端部が、図１１に示すように、下方に向けて開口する。延在外管９２には、排気ＥＡが流通される。つまり、延在外管９２は、排気用の配管である。
【０１５１】
延在内管９１における第２内外二重管８３と反対側の端部において、図１１に示すように、延在内管９１の屋外側の端部は、延在外管９２の屋外側の端部よりも突出した位置に配置される。これにより、延在外管９２の端部から排出された排気ＥＡは、延在内管９１の端部から吸い込まれることが低減される。
【０１５２】
以上のように構成される換気装置１の給排気構造６を用いた排気ＥＡ、外気ＯＡ及び給気ＳＡの流れについて簡単に説明する。図１６に示すように、換気装置１からの排気ＥＡは、アタッチメント側給排気接続部７０の排気仕切開口７１２から導入され、排気仕切開口７１２から外管連通部７１３を介して、第１内外二重管８２の第１外管８２２と第１内管８２１との間の空間を通り、第２内外二重管８３の第２外管８３２と第２内管８３１との間の空間へ流通される。第１外管８２２と第１内管８２１との間の空間から第２外管８３２と第２内管８３１との間の空間へ流通される排気ＥＡは、空気が流通する方向が、貫通方向Ｋから左右方向Ｘに変換される。第２外管８３２に流通された排気ＥＡは、延在二重管９０の延在外管９２を通して、屋外へ排出される。
【０１５３】
一方、換気装置１への外気ＯＡの供給は、外気ＯＡが延在二重管９０の延在内管９１を介して、屋外から屋内に導入される。延在内管９１から導入された外気ＯＡは、延在内管９１から第２内外二重管８３の第２内管８３１へ流通され、第２内外二重管８３の第２内管８３１から第１内外二重管８２の第１内管８２１へ流通される。第２内管８３１から第１内管８２１へ流通される外気ＯＡは、空気が流通する方向が、左右方向Ｘから貫通方向Ｋに変換される。第１内管８２１へ流通された外気ＯＡは、アタッチメント側給排気接続部７０の給気仕切開口７１１から、換気装置１へ供給される。
【０１５４】
以上説明した第２実施形態に係る換気装置１の給排気構造６Ａによれば、前記第１実施形態に係る給気装置の排気構造と同様の効果を奏する。なお、第２実施形態の換気装置１は、給排気用アタッチメント７Ａの内面には、断熱材が設けられていないが、これに限定されず、第１実施形態と同様に、断熱材を設けて構成してもよい。
【０１５５】
本発明は上記実施形態に限定されるものではなく、本発明の目的を達成できる範囲での変形、改良等は本発明に含まれる。
例えば、前記第１実施形態においては、アタッチメント側給排気接続部３０及び方向変換管４０を、互いの接続状態において相互に回転可能に構成したが、これに限定されない。アタッチメント側給排気接続部３０及び方向変換管４０を、相互に回転不能に構成してもよい。
また、前記第２実施形態においては、アタッチメント側給排気接続部７０及び方向変換管８０を、互いの接続状態において相互に回転可能に構成したが、これに限定されない。アタッチメント側給排気接続部７０及び方向変換管８０を、相互に回転不能に構成してもよい。
【０１５６】
前記第１実施形態においては、屋内側延在内管６１１、屈曲内管６３１及び屋外側延在内管６５１を、給気用の配管とし、屋内側延在外管６１２、屈曲外管６３２及び屋外側延在外管６５２を、排気用の配管としたが、これに限定されない。本実施形態とは逆に、屋内側延在内管６１１、屈曲内管６３１及び屋外側延在内管６５１を排気用の配管とし、屋内側延在外管６１２、屈曲外管６３２及び屋外側延在外管６５２を給気用の配管としてもよい。
また、前記第２実施形態においては、第２内管８３１を、給気用の配管とし、第２外管８３２を、排気用の配管としたが、これに限定されない。本実施形態とは逆に、第２内管８３１を排気用の配管とし、第２外管８３２を給気用の配管としてもよい。
【０１５７】
前記第２実施形態においては、第１内管８２１の壁面Ｗａ側の端部及び第１外管８２２の壁面Ｗａ側の端部を、共通の１枚の円形側面板８１で塞ぐように構成したが、これに限定されない。円形側面板８１から第１内管８２１の端部を離間させて、第１内管８２１の端部に別の円形板（図示せず）で塞ぐことで、第１外管８２２を塞ぐ円形側面板８１と第１内管８２１を塞ぐ円形板（図示せず）との間に排気ＥＡが通過する空間を設けてもよい。この場合には、第１外管８２２を塞ぐ円形側面板８１と第１内管８２１を塞ぐ円形板（図示せず）との間に排気ＥＡが通過させることで、排気ＥＡが第１外管８２２を流通して円形側面板８１に衝突する際の圧力損失を低減できる。
【０１５８】
前記第２実施形態においては、半円板部７７を壁面Ｗａに平行に延びるように形成したが、これに限定されない。半円板部７７の外周縁において、換気装置１側から壁Ｗ側に向かうように傾斜して形成してもよい。半円板部７７の周縁において、換気装置１側から壁Ｗ側に向かうように傾斜して形成した場合に、円形側面板８１に衝突する排気ＥＡの圧力を半円板部７７の外周縁において逃がして、排気ＥＡが円形側面板８１に衝突する際の圧力損失を低減できる。
【符号の説明】
【０１５９】
１  換気装置
６  換気装置の給排気構造
７、７Ａ  給排気用アタッチメント
３０  アタッチメント側給排気接続部（アタッチメント側接続部、回転機構）
３１  円環板部材（環状部材）
３４  仕切壁（アタッチメント側仕切部材）
４０  方向変換管（方向変換機構、回転機構）
４３  第２内外二重管（内外二重管）
６０  延在二重管
３１０  アタッチメント側給排気開口（アタッチメント側開口）
３１１  給気仕切開口（給気通過部分）
３１２  排気仕切開口（排気通過部分）
４３１  第２内管（内管）
４３２  第２外管（外管）
６５１  屋外側延在内管（延在内管）
６５２  屋外側延在外管（延在外管）
７０  アタッチメント側給排気接続部（アタッチメント側接続部、回転機構）
７１  円環板部材（環状部材）
７５  仕切二重壁（アタッチメント側仕切部材）
８０  方向変換管（方向変換機構、回転機構）
８３  第２内外二重管（内外二重管）
９０  延在二重管
９１  延在内管
９２  延在外管
１０１  装置側給排気開口（給排気二層開口）
１０１ａ  下側排気口（排気通過部分）
１０１ｂ  上側給気口（給気通過部分）
１０２  装置側仕切部材
７１０  アタッチメント側給排気開口（アタッチメント側開口）
７１１  給気仕切開口（給気通過部分）
７１２  排気仕切開口（排気通過部分）
８３１  第２内管（内管）
８３２  第２外管（外管）
ＥＡ  排気
ＳＡ  給気
Ｋ  貫通方向
Ｘ  左右方向（貫通方向に交差する方向）
Ｗａ  壁面
Ｗｂ  壁孔（孔部）
【図１】
2018059637.tif 000003
【図２】
2018059637.tif 000004
【図３】
2018059637.tif 000005
【図４】
2018059637.tif 000006
【図５】
2018059637.tif 000007
【図６】
2018059637.tif 000008
【図７】
2018059637.tif 000009
【図８】
2018059637.tif 000010
【図９】
2018059637.tif 000011
【図１０】
2018059637.tif 000012
【図１１】
2018059637.tif 000013
【図１２】
2018059637.tif 000014
【図１３】
2018059637.tif 000015
【図１４】
2018059637.tif 000016
【図１５】
2018059637.tif 000017
【図１６】
2018059637.tif 000018